(57)【特許請求の範囲】
【請求項１】
取出し口を有する容器本体と、取出し口密閉材と、蓋用基材層の一方の面に再剥離再接着可能な粘着剤層が設けられた蓋用ラベルとからなり、前記取出し口密閉材が前記容器本体の取出し口の内面側に前記取出し口を被覆するように貼設され、前記蓋用ラベルの前記粘着剤層面を前記取出し口の外面側に当接させて前記蓋用ラベルが該取出し口を被覆して貼設された包装容器であって、
前記蓋用ラベルは前記粘着剤層により前記容器本体に固着され、前記蓋用ラベルの一端部側より前記容器本体との間で剥離可能であり、且つ、剥離された前記蓋用ラベルが前記容器本体に再接着可能なように開閉自在に構成され、
前記取出し口密閉材は密閉用基材層に熱接着性樹脂層が積層されてなり前記容器本体の取出し口との間で剥離可能であり、
前記蓋用ラベルを前記容器本体より剥離させ露出した前記取出し口密閉材を前記容器本体の内面側に押し込むことにより前記取出し口密閉材が剥離することを特徴とする包装容器。
【請求項２】
前記容器本体の取出し口の周縁部の内面側に熱接着部が設けられ、該熱接着部で前記取出し口密閉材が剥離可能に熱接着され、前記熱接着部に前記取出し口側に突出した烏口状のシール部を設けたことを特徴とする請求項１に記載の包装容器。
【請求項３】
前記取出し口密閉材が前記容器本体の取出し口の内面側にインモールド成形により前記取出し口を被覆するように貼設されていることを特徴とする請求項１または請求項２に記載の包装容器。
【発明の詳細な説明】
【技術分野】
【０００１】
本発明は、容器本体の取出し口の内面側に取出し口密閉材が貼設され、蓋用基材層の一方の面に再剥離再接着可能な粘着剤層が設けられた蓋用ラベルの粘着剤層面を取出し口の外面側に貼設した包装容器に関し、詳しくは取出し口密閉材は取出し口との間で剥離可能であり、且つ、蓋用ラベルが容器本体に再剥離再接着可能なように開閉自在に構成されることにより容器本体の取出し口を繰返し開閉して内容物を取り出すことができる包装容器に関するものである。
【背景技術】
【０００２】
従来、例えばウェットティッシュ等を収容するための容器として、容器本体の取出し口に感圧接着剤層を有する開閉蓋用ラベルを貼設し、取出し口を自在に繰返し開閉して内容物を取り出すようにした包装容器が用いられている。
【０００３】
このような包装容器には、内容物と蓋用ラベルに設けた感圧接着剤層とが接触して接着することがないように内容物の上に処理を施した表出面を有するシートが表出面を感圧接着剤層側に位置するように設けられた包装容器が知られている（例えば、特許文献１参照）。また、湿潤剤を含浸したナプキン様製品を市販するまでの在庫・保管時に、開閉用フラップ（蓋用ラベル）の感圧接着剤層面に結露する水滴が付着し、蓋用ラベルの接着不良による気密性の低下を防止するために、容器の天面に設けた取出し口を感圧接着剤を塗布した蓋用ラベルを有する収納容器において、湿潤剤を含浸したナプキン様製品の上面に気密性のカバ−フィルムを載置した容器の取出し口が知られている（例えば、特許文献２参照）。
【０００４】
しかしながら、近年、商品の多様化に伴い、含浸させるアルコール等の薬液量を多くしたウェットティッシュ等も商品化され、これらの商品の場合には特許文献１、２に開示された技術では、蓋用ラベルを自在に繰返し開閉できるように蓋用ラベル裏面に再剥離再接着可能な弱粘着剤が使用されているために、容器本体の取出し口の周縁表面に凹凸があると部分的に未接着部分が発生し、蓋用ラベルと取出し口周縁との間に隙間ができることが時たま発生し、該隙間からアルコール成分が浸透し、製品保管中に蓋用ラベルが自然に剥れることが稀にあるという問題がある。
【先行技術文献】
【特許文献】
【０００５】
【特許文献１】特開２００１−２７０５４７号公報
【特許文献２】実用新案登録第３０８０７０３号公報
【発明の概要】
【発明が解決しようとする課題】
【０００６】
そこで本発明は、上記問題を解決すべくなされたものであり、その目的とするところは、容器本体の取出し口の外面側に再剥離再接着可能な粘着剤層が設けられた蓋用ラベルを貼設することにより、取出し口を自在に開閉してウェットティッシュ等の内容物を取り出すことができる包装容器であって、容器本体の取出し口の内面側に取出し口密閉材を貼設することにより、製品保管中に蓋用ラベルが自然に剥れることがない包装容器を提供することにある。
【課題を解決するための手段】
【０００７】
本発明は、上記課題を達成するために、請求項１記載の本発明は、取出し口を有する容器本体と、取出し口密閉材と、蓋用基材層の一方の面に再剥離再接着可能な粘着剤層が設けられた蓋用ラベルとからなり、前記取出し口密閉材が前記容器本体の取出し口の内面側に前記取出し口を被覆するように貼設され、前記蓋用ラベルの前記粘着剤層面を前記取出し口の外面側に当接させて前記蓋用ラベルが該取出し口を被覆して貼設された包装容器であって、前記蓋用ラベルは前記粘着剤層により前記容器本体に固着され、前記蓋用ラベルの一端部側より前記容器本体との間で剥離可能であり、且つ、剥離された前記蓋用ラベルが前記容器本体に再接着可能なように開閉自在に構成され、前記取出し口密閉材は密閉用基材層に熱接着性樹脂層が積層されてなり前記容器本体の取出し口との間で剥離可能であり、前記蓋用ラベルを前記容器本体より剥離させ露出した前記取出し口密閉材を前記容器本体の内面側に押し込むことにより前記取出し口密閉材が剥離することを特徴とする包装容器である。
【０００８】
また、請求項２記載の本発明は、請求項１記載の包装容器において、前記容器本体の取出し口の周縁部の内面側に熱接着部が設けられ、該熱接着部で前記取出し口密閉材が剥離可能に熱接着され、前記熱接着部に前記取出し口側に突出した烏口状のシール部を設けたことを特徴とするものである。また、請求項３記載の本発明は、請求項１または請求項２に記載の包装容器において、前記取出し口密閉材が前記容器本体の取出し口の内面側にインモールド成形により前記取出し口を被覆するように貼設されていることを特徴とするものである。
【発明の効果】
【０００９】
本発明の包装容器は、取出し口を有する容器本体と、取出し口密閉材と、蓋用基材層の一方の面に再剥離再接着可能な粘着剤層が設けられた蓋用ラベルとからなり、取出し口密閉材が容器本体の取出し口の内面側に取出し口を被覆するように貼設され、蓋用ラベルの粘着剤層面を取出し口の外面側に当接させて蓋用ラベルが該取出し口を被覆して貼設された包装容器であって、蓋用ラベルは粘着剤層により容器本体に固着され、蓋用ラベルの一端部側より容器本体との間で剥離可能であり、取出し口密閉材は容器本体の取出し口との間で剥離可能であり、且つ、剥離された蓋用ラベルが容器本体に再接着可能なように開閉自在な構成とすることにより、蓋用ラベルの一端部側より容器本体との間で剥離させて露出した取出し口密閉材を容器本体の内面側に押し込むことにより取出し口密閉材が取り出し口から剥離し取り除かれ、容器本体の取出し口より内容物を容易に取り出せるという効果を奏するものである。また、開封するまでは取出し口密閉材が容器本体に接着されているので、製品保管中に例えばウェットティッシュ等に含有される薬液が蓋用ラベル側に浸透することがなく、製品保管中に蓋用ラベルが自然剥離することを防止できるものである。
【００１０】
また、請求項２記載の本発明は、容器本体の取出し口の周縁部の内面側に熱接着部が設けられ、該熱接着部で取出し口密閉材が剥離可能に熱接着され、熱接着部に取出し口側に突出した烏口状のシール部を設けることによって烏口状のシール部近傍を押し取出し口密閉材を容器本体の内面側に押し込むことにより容易に取出し口密閉材を取り出し口から剥離し取り除くことができる。
【図面の簡単な説明】
【００１１】
【図１】本発明にかかる包装容器の一実施形態を示す斜視図である。
【図２】図１のＸ−Ｘ線断面図である。
【図３】本発明にかかる包装容器の蓋部を示す分解図である。
【図４】本発明にかかる包装容器のその他の実施形態を示す蓋部の分解図である。
【発明を実施するための形態】
【００１２】
上記の本発明について、図面等を用いて以下に説明する。
【００１３】
図１は本発明にかかる包装容器の一実施形態を示す斜視図、図２は図１のＸ−Ｘ線断面図、図３は本発明にかかる包装容器の蓋部を示す分解図、図４は本発明にかかる包装容器のその他の実施形態を示す蓋部の分解図であり、図中の符号１は包装容器、２は容器本体、３は取出し口密閉材、４は蓋用ラベル、５は内容物、６は密封材、７、７’は蓋部、２０は取出し口、２１は上壁、２２は周壁、２３はフランジ部、２４は熱接着部、２４ａは烏口状のシール部、３０は密閉用基材層、３１は熱接着性樹脂層、４０は蓋用基材層、４１は粘着剤層、４２は摘み部、４３は切刃をそれぞれ示す。
【００１４】
図１は本発明にかかる包装容器の一実施形態を示す斜視図、図２は図１のＸ−Ｘ線断面図である。図１、図２に示すように包装容器１は射出成形された合成樹脂製の容器本体２の略矩形状の取出し口２０の内面側に、取出し口密閉材３が取出し口２０を被覆するように貼設されている。取出し口密閉材３は、密閉用基材層３０の一方の面に熱接着性樹脂層３１が設けられた構成からなり、取出し口密閉材３の熱接着性樹脂層３１面を取出し口２０に当接させ、剥離可能に貼設されている。蓋用基材層４０の一方の面に再剥離再接着可能な粘着剤層４１が設けられた蓋用ラベル４の粘着剤層４１面を取出し口２０の外面側に当接させて蓋用ラベル４が該取出し口２０を被覆するように貼設されている。また、粘着剤層４１面は、取出し口２０を介して対向する取出し口密閉材３の熱接着性樹脂層３１に貼設されていてもよい。蓋用ラベル４は方形状で一端部側に外方に延設した摘み部４２が設けられている。蓋用ラベル４には摘み部４２を摘み剥離した際に、蓋用ラベル４が容器本体２から完全に分離されることを防ぐためのストッパーとして切刃４３、４３が剥離方向の蓋用ラベル４の両端辺から設けられている。また、蓋用ラベル４の表面には絵柄、文字や剥離方向を示す記号等が印刷されている。
【００１５】
図２に示すように、包装容器１は、取出し口２０となる窓部を備えた平板状の突出部を有する上壁２１と、該上壁２１の周縁に連接して設けた周壁２２と、該周壁２２の自由な周縁に設けたフランジ部２３とからなる容器本体２の取出し口２０（図１参照）の内面側に取出し口密閉材３を貼設し、外面側に蓋用ラベル４を貼設し、粘着剤層４１により容器本体２ないしは容器本体２と取出し口密閉材３の熱接着性樹脂層３１に固着し、取出し口２０を被覆し、容器本体２のフランジ部２３側から内容物５、たとえば、ウェットティッシュを所定枚数載置し、而して容器本体２のフランジ部２３に密封材６を熱接着して封入したものである。図１、２はこのようにして製造された包装容器１を使用時の状態、すなわち、蓋用ラベル４が上側に位置するように置いた状態を示す。
【００１６】
図３は本発明にかかる包装容器１の蓋部７を示す分解図である。図３に示すように取出し口密閉材３は、熱接着性樹脂層３１面を容器本体２の取出し口２０の内面側に当接させ、取出し口２０と剥離可能に貼設されているので、後述するが蓋用ラベル４の摘み部４２より容器本体２との間で剥離させて露出した取出し口密閉材３を取出し口２０の周縁に近接する部分を容器本体２の内面側に押し込むと取出し口密閉材３が容器本体２の取出し口２０との間で剥離して容易に取り除くことができ、容器本体２の取出し口２０より内容物を容易に取り出すことができる。また、蓋用ラベル４の摘み部４２の容器本体２に対向する面、および取出し口２０と対向する面には粘着剤層４１を設けないか、もしくは粘着剤層４１の接着性を無効にする遮蔽層を形成した構成とすることもできる。なお、蓋部７は、取出し口２０、容器本体２の上壁２１を含む領域、取出し口密閉材３及び蓋用ラベル４を含む部分を指す。
【００１７】
次に、本発明の包装容器１を構成する各材料について説明する。まず、取出し口密閉材３の密閉用基材層３０に用いる基材としては、ポリエチレンテレフタレート、ナイロン、ポリエチレン、ポリプロピレン、スチレン等の二軸延伸されたプラスチックフィルムや合成紙、あるいは、これらの積層体ないしはこれらとアルミニウム箔や蒸着を施したプラスチックフィルムを適宜組合わせた積層体等が使用できる。
【００１８】
密閉用基材層３０の一方の面に設けられる熱接着性樹脂層３１としては、ポリエチレン、エチレン・酢酸ビニル共重合体、アイオノマー、ポリプロピレン、酸変性ポリオレフィン等の樹脂ないしは易剥離性熱接着性樹脂（ＥＰＲ）等をフィルム又はエクストルージョンラミネーションして使用される。なお、ＥＰＲの易剥離性を付与する方法として表面に接着力の弱い薄層を設けた多層構成とする方法や、相溶性の少ない樹脂をブレンドするなどの構成により易剥離性を発現させる方法などの公知のものが適宜採用される。熱接着性樹脂層３１に用いる樹脂は、容器本体２に使用される樹脂により適宜、選べばよい。密閉用基材層３０と熱接着性樹脂層３１はドライラミネーション法やエクストルージョンラミネーション法等の公知の技法により積層され取出し口密閉材３用の積層材とされる。
【００１９】
次に、蓋用ラベル４の蓋用基材層４０としては、印刷適性があって機械的強度を有する材料が用いられ、密閉用基材層３０に用いられるものや、紙やあるいは、これらに紙等を適宜組み合わせた積層体等を用いることができる。また、蓋用基材層４０上に設けた印刷面の保護と表面光沢付与のためにポリプロピレンフィルム等の表面保護層を設けてもよい。
【００２０】
蓋用基材層４０の一方の面に設けられる粘着剤層４１としては、再剥離再接着可能な粘着剤が用いられ、天然ゴムラテックス、合成ゴムラテックスあるいはアクリル系樹脂、ゴム系樹脂等にテルペン樹脂やロジン等の粘着付与剤を配合した合成樹脂等の従来から使用されている粘着剤の中から適宜選んで、グラビアコート法、ロールコート法、あるいは加熱溶融押出法等の周知の塗布方法で塗布することにより形成される。
【００２１】
容器本体２としては、射出成形可能な合成樹脂であれば、特に限定するものではないが、ポリプロピレン、ポリエチレン、ポリスチレン、ＡＢＳ、ポリカーボネート等が適宜使用される。
【００２２】
取出し口密閉材３は、容器本体２を射出成形する工程で所定の大きさに切取られた取出し口密閉材３を成形金型内に載置してインモールド成形して取出し口２０に貼設される。また、取出し口密閉材３は別法として、射出成形後、容器本体２の取出し口２０の内面側に取出し口密閉材３の熱接着性樹脂層３１面を当接させてヒートシールして貼設することもできる。なお、取出し口密閉材３の大きさは、取出し口２０の周縁部との重なりが２〜７ｍｍにするのが好ましい。７ｍｍを超えると取出し口密閉材３が剥離しにくくなり、２ｍｍ未満では、取出し口２０と取出し口密閉材３の位置合せが難しくなる。
【００２３】
密封材６としては、少なくとも一方の表出面に容器本体２と熱接着可能な熱接着性樹脂層を有すると共に、印刷適性があって機械的強度を有する構成であれば、特に限定するものではなく、たとえば、容器本体２がポリプロピレンからなるものであれば、２軸延伸ポリエステルフィルム／印刷層／接着剤層／アルミニウム箔／接着剤層／無延伸ポリプロピレンフィルムのような構成のものを例示することができる。
【００２４】
次に包装容器１の蓋部７の開閉方法について説明する。図１、図２に示すように、蓋用ラベル４の摘み部４２を摘み該摘み部４２と対向する他方の端部に向かって引張り上げて容器本体２との間で剥離させると切刃４３の部分で剥離が停止され、取出し口２０の内面側に貼設された取出し口密閉材３が露出される。露出された取出し口密閉材３を略矩形状の取出し口２０のいずれか一辺の周縁に近接する部分に手指を当接させて容器本体２の内面側に押し込むと取出し口密閉材３が容器本体２の取出し口２０の内面側との間で剥離して容易に取り除くことができ、容器本体２の取出し口２０より、内容物であるウェットティッシュを容易に取り出すことができる。必要枚数を取り出した後に、開けた蓋用ラベル４を元に戻すと粘着剤層４１により容器本体２に再接着されて閉口できるものであり、以後、繰返し開閉できる。
【００２５】
図４は、本発明にかかる包装容器のその他の実施形態を示す蓋部７’の分解図であって、容器本体２の内面側から見上げた状態を示す。図４に示すように、その他の実施形態を示す蓋部７’は、容器本体２の取出し口２０の内面側に周縁部を囲むように熱接着部２４が設けられ、熱接着部２４に取出し口密閉材３の熱接着性樹脂層３１面を当接させて、該熱接着部２４で取出し口密閉材３が剥離可能に熱接着されている。さらに、取出し口２０の一辺に近接する熱接着部２４に取出し口２０側に突出した烏口状のシール部２４ａが設けられている。
【００２６】
取出し口密閉材３を取出し口２０に熱接着させる方法は、所定の寸法に断裁した取出し口密閉材３を取出し口２０に載置し、所定の熱接着部２４の形状をした熱板を用いて、取出し口密閉材３側から熱板を加圧することにより熱接着される。また、別法として、熱接着部２４を容器本体２の取出し口２０の内面側にリブ状に位置するように容器本体２の射出成形時に設けることもできる。この場合には、熱接着部２４の形状をした特殊な熱板が不要となる効果がある。
【００２７】
次に、本発明について、以下に実施例を挙げてさらに詳しく説明する。
【実施例】
【００２８】
［実施例１］
＜取出し口密閉材の作製＞
密閉用基材層として厚さ２５μｍの透明なポリエステルフィルム（ＰＥＴ）を用いて、その片面にウレタン系インキで開封位置を示す記号等をグラビア印刷し、その後、印刷面にポリエステルポリオール／イソシアネート系の２液型ドライラミ接着剤を介して熱接着性樹脂層に厚さ３０μｍの片面コロナ処理されたＥＰＲフィルム（東セロ化学株式会社製、ＣＭＰＳ０１３Ｃ）を用いてコロナ処理面とをドライラミネーション法で積層し、４０℃、２日間養生して取出し口密閉材用積層材とした。次に、該積層材を断裁し、所定の大きさに打抜き取出し口密閉材３を作製した。
【００２９】
＜蓋用ラベルの作製＞
次いで、蓋用基材層に厚さ５０μｍの乳白ポリエステルフィルム（ＷＰＥＴ）の片面に弱接着性のアクリル系粘着剤をコートして再剥離再接着可能な粘着剤層を形成し、グラシン紙の片面にポリエチレンをラミネートして、ポリエチレン面に剥離処理をした剥離材の剥離処理面と貼り合せた基材（リンテック株式会社製、商品名：ＰＥＴ５０（Ａ）ＭＷ３）を用い、公知のラベル印刷機でＷＰＥＴ面に光電管マークと所定の印刷をすると共に、該印刷面に厚さ２０μｍの二軸延伸ポリプロピレンフィルムを積層し、所定の切刃の形状を備えた抜き型で光電管マークに見当を合せて所定位置にＷＰＥＴを貫通する切刃４３を形成し、その後、所定の形状を備えた抜き型でＷＰＥＴ面に印刷された光電管マークに見当合せして取出し口密閉材の剥離材以外に切刃を施し、余白部分を剥離して、取出し口密閉材の粘着剤層面に剥離材が積層された状態の図３に示すような剥離材付きの蓋用ラベル４を作製した。
【００３０】
＜包装容器の作製＞
上記作製済の取出し口密閉材を金型内に載置し、射出成形樹脂にポリプロピレン樹脂を用いてインモールド成形し、幅１００ｍｍ、長さ１２０ｍｍ、高さ５０ｍｍの外寸で周壁がやや下方に向かって拡開し、上面の取出し口の内面側に取出し口密閉材が貼着され、下面にフランジ部を有する図１に示す角錐状の容器本体を作製した。その後、容器本体の取出し口の外面側に剥離材を剥離して露出した粘着剤層面を当接させて取出し口を被覆して貼設し、図１に示すような包装容器を作製した。なお、蓋部を構成する取出し口密閉材、蓋用ラベル及び容器本体の取出し口の寸法は以下の通りである。
【００３１】
取出し口内寸法      ：６０ｍｍ×４５ｍｍ
取出し口密閉材寸法  ：６６ｍｍ×５１ｍｍ
したがって、取出し口密閉材の取出し口周縁部との重なりは３ｍｍとなる。
【００３２】
蓋用ラベル外寸法    ：９０ｍｍ×６５ｍｍ：（摘み部含まず）
なお、蓋用ラベルの摘み部は長さ９０ｍｍの方向の一端部に１０ｍｍ外方に延設させて設けた。
［実施例２］
実施例１と同じ金型、射出成形樹脂を用いて射出成形し、取出し口に取出し口密閉材を貼設していない容器本体を作製した。容器本体の取出し口の内面側に実施例１で作製した取出し口密閉材の熱接着性樹脂層面を当接させて載置し、図４に示すような烏口状のシール部が設けられた所定の熱接着部の形状をした熱板を用いて、密閉用基材層面から熱板を加圧させて熱接着し、取出し口の内面側に取出し口密閉材を貼設した。なお、熱接着部の幅は２ｍｍとした。その後、実施例１と同様に実施例１の蓋用ラベルを貼設して図４に示す蓋部７’を有する包装容器を作製した。
【００３３】
実施例１、２のそれぞれの包装容器に市販のウェットティッシュを封入し、２軸延伸ポリエステルフィルム２０μｍ／接着剤層／アルミニウム箔９μｍ／接着剤層／無延伸ポリプロピレンフィルム２０μｍからなる構成の密封材を用いてフランジ部を密封シールした。蓋用ラベル側を上にして蓋用ラベルの摘み部を指で摘み、該摘み部と対向する他方の端部に向かって引張り上げて、露出された取出し口密閉材を取出し口２０のいずれか一辺の周縁に近接する部分若しくは開封表示マーク部分に手指を当接させて容器本体の内面側に押し込むと取出し口密閉材が容器本体の取出し口との間で剥離して実施例１、２のいずれの包装容器とも容易に開封でき、取出し口よりウェットティッシュを取り出すことができた。
【００３４】
また、実施例１、２のそれぞれの包装容器について、包装容器の蓋用ラベル側を下にして、上になった容器本体のフランジ部側から染料で着色した薬液を注入し、取出し口密閉材をディッピング状態にして３０日間、静置して薬液の浸透状況を経時観察したが、いずれの包装容器も全く薬液の浸透もなく良好であった。なお、エタノール４０重量％、水５０重量％、保湿剤（エチレングリコール）９重量％、添加剤（界面活性剤、殺菌剤、防腐剤、ＰＨ調整剤、香料清涼剤）１重量％を混合した混合液にメチレンブルーで着色して薬液とした。
【符号の説明】
【００３５】
１                                      包装容器
２                                      容器本体
３                                      取出し口密閉材
４                                      蓋用ラベル
５                                      内容物
６                                      密封材
７、７’                                蓋部
２０                                    取出し口
２１                                    上壁
２２                                    周壁
２３                                    フランジ部
２４                                    熱接着部
２４ａ                                  烏口状のシール部
３０                                    密閉用基材層
３１                                    熱接着性樹脂層
４０                                    蓋用基材層
４１                                    粘着剤層
４２                                    摘み部
４３                                    切刃
【図１】
0005464257.tif 000002
【図２】
0005464257.tif 000003
【図３】
0005464257.tif 000004
【図４】
0005464257.tif 000005